Podtech/llm-jp-corpus-v4-ja_patent huggingface dataset:
(57)【要約】      （修正有）【課題】雨水を家庭や企業で保存したり利用したりするための貯水器を提供する。【解決手段】雨水を限られた面積で最大限に集めるため貯水器の上に蓋を付け、蓋が開き面積が増えるようにする。【選択図】図１
2009002133.tif 000002
【特許請求の範囲】
【請求項１】
雨水を限られた面積で最大限に集めるため貯水器の上に蓋を付け蓋が開くことにより面積を増やす雨水貯水。
【請求項２】
請求項１の蓋はさまざまな角度で開くようにし横からの雨も集められるようにした可変蓋。
【請求項３】
請求項１の蓋が、夏の暑い時などは冷水にしたいため左右に動く事により風を発生させ空冷できる便利な蓋。外側にアルミ箔を付けると冷却上。
【請求項４】
濾過を特殊繊維で無害化できるようにした貯水器。
【請求項５】
請求項４の繊維を２重回転にし交換を不要にした自動清掃。
【請求項６】
濾過水が２方向に流れるために下部中央を上に反らした貯水器。
【請求項７】
請求項６より管から流れる水がＣＯ２を多く吸収するためにカ−ブを多くした吸収管。
【請求項８】
貯水器を屋上で安全に設置するため、屋根頂上から反対側にも同器を置きバランスをとった貯水器。
【請求項９】
請求項８の副貯水器が本貯水器渇水時に送水でき、双方の温度差を利用して発電や水温を調整できる便利な貯水器。
【発明の詳細な説明】
【技術分野】
【０００１】  本発明は、渇水時や環境、洪水、火災、冷暖房等に幅広く利用できる貯水器に関する。
【背景技術】
【０００２】  従来の水はほとんど水道水に頼っていたため、雨が降らない所では渇水になりやすく、生活、業務、生命の危機にさらされる時もあった。節水を求められたが、生活や生命を考えるとそうもいかず、悩まされていたのは水道水のみに頼っていたからである。
【発明の開示】
【発明が解決しようとする課題】
【０００３】以上の水道水のみでは限界があり、人口や生産増加時は尚更である。水道管破裂時は使用できなくなったり、金属が錆びると水が汚染されたりと諸問題もあった。雨は何気なく降るが、現代では雨水は一部でしか利用されていないのは汚染等であり、雨がそのまま流されるのに異議もなかったが、豪雨時は床上浸水、堤防損壊等の壊滅的打撃を受け死者も出たが、自然の暴威に為す術もなかった。そうかといいダム建設も別な問題を生じてしまいなかなかそうもいかなかった。そこで、雨水を家庭や企業で保存したり利用すべき時代に来ている。
【課題を解決するための手段】
【０００４】本発明は上記目的を達成するために屋上に貯水器を南側と北側に設置し、同重量で許容量を多く安定化し、管を長く曲げることで中の許容量も多くしＣＯ２吸収もしやすくし、満ちた時は地上の保存器にも貯水できるので、多くの企業が実施すれば洪水被害はくい止められる。また渇水時は保存器の濾過水から屋上貯水が無くなるのに間があるのでひとまずは生活できる。渇水時は火災防止にもなる。雨が降ると蓋が開き受雨面積は倍になり斜雨も入る。貯水器に入った雨は特殊繊維を通過し小石で濾過され管から風呂やトイレに接続できるが、飲料する際は保存器濾過からの方が安全である。【０００５】  また、大豪雨や竜巻、海面上昇、渇水、作物不作等の異常気象の根源である温室効果ガス削減のため管中にＣＯ２が入るような素材にしＣＯ２が水に溶けやすいのを利用して大気中ＣＯ２を少しずつであるが削減できる。水道水はポンプで上げられるため電力を要していたが、その電力も削減でき、屋上貯水器の日向と日陰、南側と北側とで温度差が発生するので温度差発電もできる。そして酷暑時は冷やし、酷寒時は暖めて放水できるので冷暖房節約で環境に貢献できる。水が上から下に流れるのを上手に利用した発明である。
【発明の効果】
【０００６】  以下、本発明を図１〜図５にて説明する。【０００７】  図１のように雨が屋上両貯水器に溜まり満ちた時は遮器を開けると管から下に流れ地上か保存器に流れるが、遮器を開けずにそのまま地上に流してもよい。【０００８】  図２のように屋上貯水器に蓋を付けると、晴天時は蓋が閉まって蒸発や鳥害を防げ、雨が降ると図３のように水滴で自動的に開ける発明に成功。しかも蓋の開く角度で横からの雨も入れられる。そして左右の蓋が動くと風を生じさせ、夏は冷やせる。夏の直射日光を遮りたい時は外側をアルミ箔で覆うと冷える。【０００９】  従来の濾過は交換が必要だったが、図４のように濾過を繊維でやったらどうかと発明し繊維は回転移動で雑菌が落ちる交換不要の大発明。【００１０】  濾過された貯水が２方向に広がるように図５のように下角２カ所に穴を開け遮器を外へ移動すると管水量が多くなり、遮器を外すと管以外に屋根にも散水するので火災時は消火率が良くなる発明。地上にドラム缶等で保存もできる。【００１１】  管内部と外部がＣＯ２を吸収しやすい素材で、貯水量とＣＯ２吸収、住宅冷暖房を多くするため長くし、カ−ブを多くすると吸収量が増す発明。伸ばすと１０ｍ先に打ち水できる。【００１２】  貯水器を屋上で落下防止や台風に飛ばされないようにするため頂上反対にも同器を置きバランスをとると同時に貯水量も倍になり、南側は熱く北側は冷たくなるので、冷水を求める時は北側、混ぜて水温調整もでき、銀線を通すと効率温度差発電もできる。
【産業上の利用可能性】
【００１３】  上述したように本発明の渇水防止貯水器は雨から貯水でき、渇水時は勿論、水道電気代が節約でき長期的経費削減ができる。貯水で洪水を多少防げるので産業、生活は勿論救命にもなる。火災防止や夏打ち水、庭園散水にも代用できる。業種によっては水道水の塩素や鉛等の無い水の方が良いので生産や製品質が向上できる。水温が調整できるので寒暑に便利で従業員も働きやすくなる。軽く携帯できるのでキャンプ時や運送車や船舶に付けると運転手や乗客も便利で事故も少なくなるだろう。また環境保護になり環境意識も高まり地球も喜ぶだろう。
【図面の簡単な説明】
【図１】  本発明の事業所での実施例の概況
【図２】  貯水器を斜め上から見た外観図
【図３】  蓋が開く断面図
【図４】  貯水器内の繊維濾過の断面図
【図５】  貯水器から管に送水する際の断面図
【図１】
2009002133.tif 000003
【図２】
2009002133.tif 000004
【図３】
2009002133.tif 000005
【図４】
2009002133.tif 000006
【図５】
2009002133.tif 000007
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
雨水を限られた面積で最大限に集めるために貯水器の上に蓋を付け、その蓋がさまざまな角度で開き横雨も集められ、受雨面積を増やした渇水防止貯水器。
【請求項２】
濾過を特殊繊維２重回転で無害化し、交換不要自動清掃にもした渇水防止貯水器。
【請求項３】
濾過水が２方向に流れるために下部中央を上に反らし、そこから管へ
2009002133.tif 000008
【請求項４】
屋上で安全に設置するため、屋根頂上から反対側にも同器を置きバランスをとり、双方の温度差を利用して発電や水温を調整できる渇水防止貯水器。
(57)【要約】      （修正有）【課題】内部流体が高圧であっても軸芯のブレに対しても殆ど影響を受けない簡易高圧シャフトシール。【解決手段】ハウジングの板５に上部金属フランジ環２でゴムブッシング３を挟み込み、その表面にスリット４又はＶ字環を加工する。そして、シャフト６と共転させた剛体のフランジ１をスリット４又はＶ字環に沿って回転させ、ゴムブッシング３のスリット４底部と剛体のフランジ１先端との反発力によってハウジング内部の流体を密封する。【選択図】図１
2009002496.tif 000002
【特許請求の範囲】
【請求項１】
簡易高圧用回転軸シールとして回転軸表面に薄板のフランジの環を通して固定し垂直に立上がった鍔の部分の先端をリップとして、装置のハウジングの開口部壁と反対向きのフランジの内壁に挟まれてその表面に加工された浅いスリット又はＶ字環のゴムブッシングに嵌め込まれ、前記回転軸とその表面に固定された前記フランジが共転することによって前記リップが前記スリット又はＶ字環の底部のゴム部を前記リップの先端部で圧す反発力で押し返される力でハウジング内部の流体を密封する構造の回転軸シール。
【請求項２】
金属等の剛体フランジを回転軸上に固定して軸上垂直に立上がった鍔の先端をリップとしてハウジングの開口部の壁に固定されスリット又はＶ字型に表面を加工されたゴム部の底面を圧し乍、回転軸と共転させてハウジング内の流体を前記ゴムの反発力で押し返す力でシールする回転軸シール。
【請求項３】
回転軸上に剛体フランジを固定し、ハウジングの開口部の壁と剛体の環にゴムブッシングを嵌め込むだけで簡単に装着する簡易高圧用シャフトシール。
【発明の詳細な説明】
【背景技術】
【０００１】従来のシャフトシールのリップは、リップの素材が弾性体であり、又、リップが固定された状態で金属の回転シャフト表面と接触してハウジング内の流体をシールする構造の為、高速回転や軸芯のブレによってリップ自体が変形を余儀なくされ流体の漏れが発生され易く、又、エネルギー効率も低かった。
【当該技術】
【０００２】当該技術は、回転軸の表面に剛体のフランジを固定させ垂直に立上がった鍔の先端部をリップとしてハウジングの開口部に固定されたスリップ又はＶ字型溝のゴム部の底辺を圧してその反発力でハウジング内の流体をシール構造の為、内部流体が高圧であっても軸芯のブレに対しても殆ど影響を受けることがない特徴のシャフトシールです。
【図面の簡単な説明】
【０００３】
【図１】当該簡易高圧用シャフトシールの断面図の一例
【符号の説明】
【０００４】１．剛体のフランジ                ２．上部金属フランジ環
３．ゴムブッシング                ４．スリット
５．ハウジングの板                ６．シャフト
７．ゴム部コーナーのアール        ８．ゴム部コーナーのアール
９．シャフト表面のフランジ溶接部
１０．上部フランジ環のハウジング面に固定部
【発明の詳細な説明】
【０００６】  当該発明は、装置のハウジング内の流体の回転軸（６）上からの漏れを防ぐ簡易高圧用シャフトシールで前記回転軸（６）上に剛体のフランジ（１）を固定し垂直に立上がった剛体リップ（１）の鍔の先端部をハウジング（５）の板の壁と剛体の上部フランジ（２）の内壁に囲まれたゴムブッシング（３）の表面に加工されたスリット又はＶ字型溝部（４）の底部を圧してその反発力で内部流体をシールする構造のシャフトシールで、前記ゴムブッシングの先端面のコーナーにアール（７）及び（８）が加工されているので剛体の上部フランジ環を押し込めば前記下部フランジ環の鍔の先端部を跨いで通り抜けて前記ゴムブッシング（３）表面に加工された前記スリット又はＶ字型溝（４）に嵌って自動的にロックされて装着され、前記回転体（６）と共転してハウジング（５）内の流体を密封する構造のシャフトシールです。
【図１】
2009002496.tif 000003
【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
当該回転軸シールは、回転軸表面に弾性体のフランジ環の内径を広げて圧着させ、更に、前記弾性体のフランジ環の外部表面の環を外側に折れ曲がった鍔を持つ剛体のフランジ環の前記回転軸に平行な部分を圧着するように嵌め込んで、前記回転軸表面と前記フランジ環の間からの流体の漏れを防止する構造。
【請求項２】
上記（請求項１）に於いて、前記フランジの先端がリップとして弾性体の環の前記回転軸に垂直な方向に内面の壁に加工された溝にグリース又は他の充填物を充填した中の弾性環を引伸ばして直径を広げて前記リップを嵌め込み、前記回転軸が回転する時、前記リップもハウジングの開口部の内壁と摩擦接触して固定している前記弾性環の内壁に加工された溝の底を押しつけ乍、共転して前記弾性の反発力と油膜で流体をシールする回転軸シールです。
【請求項３】
上記（請求項１）に於いて、流体の圧力によって前記フランジ環及び弾性環が移動させられるのを防ぐ為に、前記ハウジングの開口部の内壁と前記フランジリップを被った弾性環の間に、前記回転軸に平行で且つ、両端部が外側と内側に逆方向に折れ曲った弾性環又は内部に芯金を弾性体で被服した弾性環の片側で前記ハウジングの壁に引っ掛けてもう一方の前記弾性環の片側の内壁をストッパーとして前記フランジ及び弾性環のハウジングの開口壁から移動して脱落を防止する機能を持つ挿入環を配備した構造。
【請求項４】
上記（請求項１）に於いて、前記回転体と前記剛体のフランジの間を流体が漏れるのを防止する為、前記弾性環の内径を回転軸の軸径より若干短くして、それを引伸ばして前記回転軸に被せて弾性体の前記回転軸表面えの圧着度を高めて流体の漏れを防止する方法、又は、前記回転軸に剛体のフランジ環を直に溶接等で固定密封する方法か、又は、前記回転軸と剛体のフランジ環の間に弾性環を挟んでボンド付けすることによって流体の漏れを防止する方法。
【請求項５】
回転軸の周りからの流体の漏れを防ぐ手段として、回転軸表面に固定して共転する剛体の先端がリップからなるフランジをハウジングの開口部に固定して油を塗布をした弾性体に押付けてその反発力と油膜で流体の漏れを防止するシャフトシール。
2009002496.tif 000004
2009002496.tif 000005
2009002496.tif 000006
2009002496.tif 000007
(57)【要約】【課題】トラッキングの検出を簡単な回路で構成できるトラッキング検出装置を提供する。【解決手段】トラッキング検出装置１は電圧線Ｌと中性線Ｎの２本の電路に流れる電流の差を検出する零相変流器２と、零相変流器２の出力電流からトラッキングを検出するトラッキング検出回路３とで成り、数十ＫＨｚから数十ＭＨｚのトラッキング放電が生じた際に零相変流器２が出力するパルス電圧をトラッキング検出回路３が検出することによりトラッキングの発生を検出する。【選択図】図１
2009002708.tif 000002
【特許請求の範囲】
【請求項１】
電圧線と中性線の２本の電路に流れる電流の差を検出する零相変流器と、該零相変流器の出力電流からトラッキングを検出するトラッキング検出回路とで成ることを特徴とするトラッキング検出装置。
【発明の詳細な説明】
【技術分野】
【０００１】
本発明は、コンセントや電源プラグで発生するトラッキングを検出するトラッキング検出装置に関する。
【背景技術】
【０００２】
コンセントや電源プラグの両刃間に塵埃が堆積し、塵埃に水分が吸収されると両刃間に漏れ電流が発生し、時間の経過により熱劣化、アーク放電等が発生して火災の原因となるトラッキング現象が起こる。このトラッキング現象を検出するトラッキング検出装置としては例えば特許文献１に記載のものがある。トラッキング検出装置は、電路に流れる電流を検出する変流器と、変流器により検出した検出電流の低周波成分を除去するハイパスフィルタを内蔵し、高周波成分を増幅する増幅器と、増幅器の出力電流からトラッキングを判定する演算部とで構成している。
【０００３】
【特許文献１】特開２００５−２４９６８６号公報
【発明の開示】
【発明が解決しようとする課題】
【０００４】
従来のトラッキング検出装置は、変流器により電路電流を検出しているため、負荷の消費電流の大小により変流器の出力電流の大きさに差が生じるので、ハイパスフィルタを内蔵した増幅器により出力電流を安定させなければならないという欠点があった。
【課題を解決するための手段】
【０００５】
本発明によれば、電圧線と中性線の２本の電路に流れる電流の差を検出する零相変流器と、零相変流器の出力電流からトラッキングを検出するトラッキング検出回路とで成ることを特徴とする。
【発明の効果】
【０００６】
本発明によれば、トラッキングの検出を簡単な回路で構成できるという効果がある。
【発明を実施するための最良の形態】
【０００７】
トラッキング検出回路は電圧線と中性線の２本の電路に流れる電流の差を検出する零相変流器と、零相変流器の出力電流からトラッキングを検出するトラッキング検出回路とで成り、数十ＫＨｚから数十ＭＨｚのトラッキング放電が生じた際に零相変流器が出力するパルス電圧をトラッキング検出回路が検出することによりトラッキングの発生を検出する。
【実施例１】
【０００８】
本発明に係るトラッキング検出装置の実施例１を図１〜図３の添付図面に基づいて説明する。
【０００９】
トラッキング検出装置１は、電圧線Ｌと中性線Ｎの２本の電路を挿通させて２本の電路Ｌ，Ｎに流れる電流の差を検出して出力する零相変流器２と、零相変流器２の出力電流からトラッキングを検出するトラッキング検出回路３とで成っている。このトラッキング検出装置１は回路遮断器４などに適用され、回路遮断器４は、トラッキング検出回路３が駆動するための電源を供給する電源回路５と、トラッキング検出回路３の出力により電路Ｌ，Ｎを遮断する引き外し装置６と、電路Ｌ，Ｎを開閉する開閉接点７，７とを備えている。
【００１０】
トラッキング検出装置１の零相変流器２はトロイダル型コアのものが用いられ、零相変流器２に挿通させた電圧線Ｌと中性線Ｎに流れる往復電流は、正常時に等しいので両電流の磁束が相殺されて零相変流器２から出力はなく、漏電時に平衡破綻分を出力するようになっている。トロイダル型コアの零相変流器２は飽和しやすく、図２のグラフに示すように周波数が高くなるにつれて透磁率が低下し、５０ＫＨｚを超える周波数では不安定になる特性がある。そして、数十ＫＨｚから数十ＭＨｚのトラッキング放電が起こると一時的に同一極性の放電が続くときがあり、このときに放電電流の磁束が相殺しきれずに図３に示すようにパルス電圧が発生する。
【００１１】
トラッキング検出回路３はこのパルス電圧を検出すると、信号を出力して引き外し装置６を駆動し、引き外し装置６が開閉接点７，７を開離して電路Ｌ，Ｎを遮断する。
【００１２】
このように、零相変流器２でトラッキングを検出することにより、ハイパスフィルタを内蔵した増幅器が必要なくなるので回路を簡単にすることができる。
【００１３】
尚、本実施例においてトラッキング検出回路を回路遮断器に適用したが、コンセントやコンセントタップや電源プラグなどにも適用が可能である。
【図面の簡単な説明】
【００１４】
【図１】本発明の実施例１に係るトラッキング検出装置を示すブロック図である。
【図２】零相変流器の特性を示すグラフである。
【図３】トラッキング放電が発生した場合の零相変流器の出力を示すグラフである。
【符号の説明】
【００１５】
１    トラッキング検出装置
２    零相変流器
３    トラッキング検出回路
４    回路遮断器
５    電源回路
６    引き外し装置
７    開閉接点
【図１】
2009002708.tif 000003
【図２】
2009002708.tif 000004
【図３】
2009002708.tif 000005
(57)【要約】【課題】一定圧力でターンダウンの広い圧力噴霧ノズルを提供する。【解決手段】常に一定圧力で安定した噴霧が得られるよう、噴口部（１）の噴口開口面積と戻り調量部（４）のオリフィス開口面積の和が一定の開口面積になるべく位置の調整と、運転停止時には閉止弁の役割をする断面積の異なる調量ロッド（８）を持つ圧力噴霧ノズルで、かつ、位置の調整をパルス信号とステッピングモータ(１９)との組み合わせで行う圧力噴霧ノズル。【選択図】図１
2009002550.tif 000002
【特許請求の範囲】
【請求項１】
大流量・高ターンダウンのバーナに使用する圧力噴霧ノズルにおいて、吐出量を連続的に広範囲に変えるため、チップ先端の噴口面積とリターンオリフィスの面積を連続的、かつ同時に変え得る調量ロッドを備えた噴霧ノズル。
【請求項２】
燃焼停止時に調量ロッドに油垂れ防止機構を設けた請求項１に記載の噴霧ノズル。
【請求項３】
調量ロッドによる流量制御・油垂れ防止に必要な調量ロッドの位置決めをパルス発信機とステッピングモータを組み合わせた機構で行う請求項１及び２に記載の噴霧ノズル。
【発明の詳細な説明】
【技術分野】
【０００１】
本発明は乾燥炉等で使用される大流量・高ターンダウン圧力噴霧バーナに適用する噴霧ノズルに関するものである。
【背景技術】
【０００２】
従来、乾燥炉等で用いられている大流量油焚き圧力噴霧バーナはターンダウン比が１：４程度であるが、経済性・運転性の向上のため更なる高ターンダウン化がもとめられている。
【０００３】
このニーズに対応するため、単一ノズル仕様のバーナでは広いターンダウンと低負荷時での良好な燃料噴霧状態の維持に向け、最大噴霧圧力3MPa以上の高圧と、燃料供給量を最大負荷量の約２倍という厳しい条件を採用している。
【発明の開示】
【発明が解決しようとする課題】
【０００４】
このため、燃料ポンプは容量の大きな高圧ポンプが必要となるだけでなく、これらの燃料配管に使用する電磁弁等の付帯機器も仕様が厳しくなるため、高価な機器となる。
【０００５】
大流量・高圧低粘度油ポンプは機種が少なく、運転可能流量範囲も狭いため、選択できるポンプも少なく、且つ、日本のように東日本と西日本で電気の周波数が異なるところでは供用できない等、汎用性にも欠ける。
【０００６】
また、吐出量が吐出圧の1/2剰に比例する圧力噴霧ノズルでターンダウンを大きく取ることは低流量では吐出圧が大幅に下がらざるを得ず、前記のような条件を選択しても、噴霧角の変化や噴霧粒径の増加は避けられない。
【０００７】
更に、大流量を流すためには配管も太くならざるを得ず、たとえバーナ直近に逆止弁を設けたとしても、噴霧ノズルにもれ停止機構がない限り停止時の油垂れは避けられない。
【課題を解決するための手段】
【０００８】
本発明は上記問題点を解決するためになされたものであり、その目的とするところは、噴霧圧力を通常使用されている2MPa以下に維持したまま、ターンダウン比１：８以上という広い噴霧範囲と良好な噴霧状態の維持ができるノズルチップを提供することにある。
【０００９】
一定圧力のままの流量を変更は噴口面積の変更となるが、噴口直下の旋回室の旋回強度も変わるため、噴霧状態の維持が難しい。
【００１０】
本発明では旋回室の強度を維持したまま流量を変更するため、旋回室出口に噴口だけでなくリターンオリフィスを設け、両者の面積を同時に可変する方法を採用した。即ち、旋回室に入る流量を一定にしたまま、噴口流量とリターンオリフィス流量の分配比を変えることとした。
【００１１】
これにより、一定圧力で噴霧状態を維持したまま、吐出量を任意に変えることが可能となる。
【００１２】
また、バーナ運転停止時の後垂れ防止策として、ノズルチップ内にバネを利用した閉止弁を設ける方法が提案されている特許文献1に記載されているが、本発明では噴口面積とリターンオリフィス面積を変更する調量ロッドを利用して、閉止機構を設けた。
【特許文献１】特開平10-52655
【発明の効果】
【００１３】
これにより、比較的低い圧力で、高ターンダウン運転が可能な圧力噴霧バーナが提供でき、使用機器単価が大幅に低減できる。
【発明を実施するための最良の形態】
【００１４】
本発明による高ターンダウン圧力噴霧ノズルの具体的な実施例について、図面を参照しながら説明する。
【００１５】
圧力噴霧でターンダウンを変えるためには、複数ノズルをノズルホルダーにセットし、燃焼量に応じ使用するノズルの本数を増やす方法か、戻り付きノズルを用い調量弁で戻り量を変化さす方法をとるのが一般的である。戻り付きノズルにおいて、ノズルの噴霧量を減らし、戻り量を増加させるとノズル圧が低下し、噴霧状態が悪くなるため、ターンダウンは１：４までが普通である。
【実施例１】
【００１６】
図１は本発明に係わる戻り付き圧力噴霧ノズルの構造を示す。
【００１７】
燃料はノズル外筒Ａ5の油入り口15よりノズルに入り戻り調量部4の外側から旋回部2の旋回溝を通り旋回室に入り噴口部1の噴口より霧となり吐出する。旋回室2に入った油の一部は調量部4内側の調量オリフィスを抜け、ノズル外筒Ｂ6の内側に入り戻り口16よりポンプ下流に戻る。
【００１８】
噴口から吐出する量と戻り口からリターンする油の割合は調量ロッド8の位置で、噴口と調量オリフィスの開口面積を決め、調節する。
【００１９】
ここでは、噴口の開口面積と戻り調量部のオリフィス開口面積の和が常にノズルの最大流量に必要な開口面積になるよう調量ロッド8の断面積を変えることで、常に一定の圧力で噴霧でき、安定した噴霧角と噴霧状態が得られる。
【００２０】
また、本発明のノズルを適用しようとする装置は大流量を流すため、配管径が太く、遮断弁をバーナ直近に付けたとしても管内滞油が多く、運転停止時に後垂れの問題が生じ易い。
【００２１】
これに対応すべく、本発明では調量ロッドに閉止弁機能を持たし、運転停止時には調量ロッドで噴口を閉止できる太さにしている。
【００２２】
図２はこの調量ロッドの位置決めを自動で行うための、ノズル14とリニアステッピングモータ19の組み合わせを図示している。
【００２３】
調量ロッドが所定の位置に来るよう予めパルス数をプログラミングし、ここに図示していないがバーナ制御盤内で運転モードに合わし、リニアステッピングモータを制御する。
【００２４】
図２ではリニアステッピングモータとの組み合わせを図示しているが、通常のステッピングモータと回転を直線移動に変えるユニットの組み合わせを使用することも出来る。
【図面の簡単な説明】
【００２５】
【図１】戻り付き圧力噴霧ノズルの構造図である。
【図２】ノズルと駆動部の組み合わせ図である。
【符号の説明】
【００２６】
１      噴口部
２      旋回部
３      ノズルキャップ
４      戻り調量部
５      ノズル外筒Ａ
６      ノズル外筒Ｂ
７      シールボルト
８      調量ロッド
９      シールロッド
１０    Ｏリング1
１１    Ｏリング2
１２    Ｏリング3
１３    Ｏリング4
１４    ノズルユニット
１５    油入り口
１６    油戻り口
１７    ドラフトチューブ
１８    ジョイント部
１９    リニアステップモータ
【図１】
2009002550.tif 000003
【図２】
2009002550.tif 000004
(57)【要約】      （修正有）【課題】自動車内燃機、オイルバーナー燃焼、ガスバーナー燃焼の燃焼空気がモナザイト粉の付着したシート表面を通過、接触してマイナスイオン化され燃料分子と反応して、より完全燃焼する為、燃料節約及び排気ガス浄化の効果が出るエネルギーシートを提供する。【解決手段】不織布シート、アルミシート、フィレドンフィルター表面に３ミクロン程度の粉体を万遍なく塗布、付着させ乾燥加工したシートで、マイナスイオンが多量に発生し効果が顕著で装着または加工が簡単な事が特徴である。【選択図】図１
2009002323.tif 000002
【特許請求の範囲】
【請求項１】
不織布叉はアルミシート等の表面に３ミクロン程度のモナザイト粉を万遍なく塗布、付着させ乾燥加工したシート、またフィレドンフィルターの表面に付着させ乾燥したシートでこのシート表面からマイナスイオンが７８，０００個／ＣＣ〜１４０，０００個．ＣＣ発生しそのエネルギーが内燃機の燃焼に必要な空気に接触すると、空気中の支燃性及び可燃性ガスがイオン化され、燃料分子と反応して完全燃焼するため燃料節約と排気ガス浄化の効果がでる事を特徴とするシートである。
【請求項２】
モナザイトを３ミクロン程度に加工した触媒が特徴で、それが付着されたシートを複合に叉は筒状にする事により自然エネルギーの放射は増幅し、内燃機での燃焼効果も増幅される請求項１に記載のシートである。
【請求項３】
自動車の内燃機以外でオイル燃焼バーナー、ガス燃焼バーナーの燃焼空気にも適応する事が出来る請求項１に記載のシートである。
【発明の詳細な説明】
【技術分野】
【０００１】本発明はガソリン、軽油を燃料とする自動車、Ａ重油、灯油を燃料とするオイルバーナーＬＰＧ，ＬＮＧを燃料とするガスバーナの燃焼空気をイオン化する事で、より完全燃焼をさせ、燃料節約と燃焼排気ガスの浄化の効果を求めたものである。
【背景技術】
【０００２】内燃機即ち自動車エンジンを対象として、燃料節約目的のマイナスイオン発生製品は平成５年以降では３，２７２件、平成１７年以降では４３４件の特許がある、しかし効果が顕著で実績のある製品は殆んど無い。【０００３】従来のマイナスイオン発生製品はラジュウム鉱石、麦飯石、天照石、溶岩石、トルマリン、ゲルマニュウム鉱石を使用した製品である、叉プラズマを応用したマイナスイオン発生機等も有るが、エネルギー量が小さいことと、設置方法が難関である為市場での普及はしていない。【０００４】オイルバーナー、ガスバーナーを対象として燃料節約目的のマイナスイオン発生方法でモナザイトを使用した製品は皆無である、叉モナザイトを３ミクロンの粉体にして、フィルター及びシートに付着させた簡単な製品でマイナスイオンの発生量が多く、取り付けも簡単な製品は殆んどない。
【発明の開示】
【発明が解決しようとする課題】
【０００５】本発明はモナザイトを３ミクロンにした粉体を、フィレドンフィルター表面、アルミシート表面不織布シート表面にケミカルボンドで付着、乾燥させた製品で、その表面から自然エネルギーのマイナスイオンが多量に発生する、通過、接触する燃焼空気はマイナスイオン化され、燃料分子と反応してより完全燃焼する為、燃料節約及び燃焼ガスの浄化に繋がるモナザイト付着エネルギーシートを提供する。
【課題を解決するための手段】
【０００６】本発明は不織布シート、アルミシート等の表面に３ミクロン程度のモナザイト粉を満遍なく塗布、付着させ乾燥加工したシートで、このシート表面からマイナスイオンが多量に発生し、そのエネルギーが内燃機燃焼、オイルバーナー燃焼、ガスバーナー燃焼に必要な空気に接触すると、空気中の支燃性及び可燃性ガスがイオン化され、燃料分子と反応して完全燃焼するため、燃料節約と燃焼ガス浄化の効果が出るエネルギーシートである。
【発明の効果】
【０００７】本発明の燃焼空気をイオン化させるエネルギーシトは車のエンジン燃焼に於ける燃焼空気をイオン化させるため、燃焼速度が速まり完全燃焼するので、走行距離が延び、燃料の５％〜１０％の節約に繋がり、排気ガスのＣＯ２，ＮＯｘが減少する効果がある、従って排気ガスの臭気も減少する効果がある。【０００８】オイルバーナー燃焼に於いても、燃焼空気がイオン化されているため少ない空気量で燃焼が可能になり、燃焼空気比を下げる事で過剰空気による燃焼炉内の冷却損失を防ぎ、また空気中の窒素が燃焼する際、持ち去る冷却防ぐ一方、窒素が燃焼する吸熱反応に相当する熱損失分を助ける事になり燃料の節約に繋がる効果がある。
【発明を実施するための形態】
【０００９】本発明の実施例を図面を参照しながら説明をする、図１−１はアルミシートまたは不織布シートでその片面に図１−２のモナザイト粉を付着させたエネルギーシートでまた図２−３はフィレドンフィルター生地に図２−２のモナザイト粉を付着させたシートである。
【００１０】図３はオイルバーナー燃焼に於ける実施例で、燃焼空気が図３−３のフィレドンフィルターを通過して内面の図３−２のモナザイトに接触する、更に図３−２のモナザイト付着のアルミシートに接触通過してバーナーに流入する。図４はバーナー取り付け実施図である。
【００１１】図５は内燃機に於ける実施例で、燃焼空気は図５−２のモナザイト粉の付着した図５−１のアルミシートが張り付けられた図５−４のエアーダクトを通過して図５−５のエレメントに入り濾過されたエアーはエンジンに入る。
【図面の簡単な説明】
【００１２】
【図１】本発明のアルミシート（不織布シート）の表面にモナザイト粉を付着させた平面及び断面図である。
【図２】本発明のフィレドンフィルターの表面にモナザイト粉を付着させた平面及び断面図である
【図３】オイルバーナー燃焼及びガスバーナー燃焼用のフィレドンフィルターの実施例の斜視図及び断面図である。
【図４】オイルバーナー燃焼に於けるフィレドンフィルターの実施例図でｚる。
【図５】本発明のアルミシートを内燃機（車エンジン）に実施した断面図である。
【符号の説明】
【００１３】１  アルミ及び不織布シート
２  モナザイト粉（３ミクロン程度
３  フィレドンフィルター
４  自動車用エアーダクト
５  自動車用エレメント
６  オイルバーナー用取り付け金具
【図１】
2009002323.tif 000003
【図２】
2009002323.tif 000004
【図３】
2009002323.tif 000005
【図４】
2009002323.tif 000006
【図５】
2009002323.tif 000007
(57)【要約】【課題】複数の類似対象物（飲食店のボトルキープ、コーヒカップキープ、自転車置き場等）の中から目的とする１個を探し当てる事は困難であり時間が掛ってしまう。【解決手段】リモコン受信機（図１の１）は太陽光発電機能と電池、赤外線受光素子、発光ＬＥＤ及びＰＩＣマイコンを搭載している。リモコン親機（図１の２）は個別番号を赤外線通信によりリモコン受信機へ登録指示を出す。リモコン受信機内のＰＩＣマイコンは受信した個別番号を自分の不揮発メモリーに記憶する。複数の類似対象物全てにリモコン受信機を設置する。リモコン親機の検索キー操作により複数のリモコン受信機の中から個別番号が合致したリモコン受信機のみが反応しＬＥＤを点滅させ特定対象物の発見を実現するシステムである。【選択図】図１
2009296562.tif 000002
【特許請求の範囲】
【請求項１】
太陽光、照明機器の光源をエネルギーとする太陽光発電にて単独動作するリモコン受信機を各対象物に取り付け、リモコン親機からの指示によりリモコン受信機のＬＥＤを点滅させ対象物の置き場所を検出するシステム。
【請求項２】
前記請求項１記載のリモコン受信機は太陽光発電と充電式電池を併用する事により夜間でも単独動作する機能を持ち、電池交換を必要としない装置。
【請求項３】
前記請求項１記載のリモコン受信機はリモコン親機から指示された個別番号を記憶する機能を持ちリモコン親機からの指示により何回でも個別番号の書換えが出来る事を特徴とする装置。
【請求項４】
前記請求項１記載のリモコン親機から指示した個別番号が請求項３記載のリモコン受信機に自己保持された個別番号とが合致した時にのみ反応しＬＥＤ点滅により対象物の場所を知らせるシステム。
【請求項５】
前記請求項４記載のＬＥＤをリレー、トランジスタ出力にする事により照明器具、玩具、電子機器等の外部機器を制御する装置。
【発明の詳細な説明】
【技術分野】
【０００１】不特定多数リモコン受信機の中から特定のリモコン受信機を制御するシステムに関する物である。
【背景技術】
【０００２】飲食店等に於けるボトルキープ、自転車置き場等、複数の対象物から目的とする対象物を見つけるのは困難であり、場所を決めておく等の対策をしても発見までに時間が掛ってしまう問題があった。
【発明の開示】
【発明が解決しようとする課題】
【０００３】探したい対象物を発見し易くする為に名前ラベルの付与、タグ、カードを下げる等の対策をしているが暗くて判別しにくい。【０００４】電源を持っていない対象物にはリモコン操作等の電気的処理が出来ない。
【課題を解決するための手段】
【０００５】リモコン親機数字キー（図２の３）操作により個別番号を選択後に学習キー（図２の５）を操作し、リモコン受信機に対し赤外線通信により個別番号登録指示を行う。リモコン受信機はこの個別番号を受信後、ＰＩＣ内部の不揮発メモリエリアに記憶する。【０００６】太陽光発電機能と赤外線受光素子及び発光ＬＥＤを有するリモコン受信機（図１の１）を各対象物に設置する。【０００７】リモコン親機数字キー（図２の３）操作により個別番号を選択した後に検索キー（図２の４）を操作する。受信した個別番号とＰＩＣ内部に記憶した個別番号とが合致したリモコン受信機（図１の１）のみがＬＥＤ点滅を行い対象物の置き場所を明示される。
【発明の効果】
【０００８】リモコン親機（図１の２）の操作により一瞬にして複数のリモコン受信機（図１の１）の中から目的の対象物を発見する事が可能となる。【０００９】太陽光発電部（図３の３）及び充電可能な電池（図５の１）搭載により夜間でも使用可能であり電池交換を必要としない。
【発明を実施するための最良の形態】
【００１０】以下、本発明によるリモコン端末制御システムの実施の形態について説明する。図１は、本システム実施の形態に於けるリモコン装置の配置を示す構成図である。００から９９までの対象物（ウイスキーボトル）に１００個のリモコン受信機を配置した例である。図２はリモコン親機の操作画面である。０から９の数字キー（図２の３）を操作して被対象物の個別番号を設定する。検索キー（図２の４）を押すと赤外線通信によりリモコン受信機（図１の１）の中から対象子機のみＬＥＤを発光させる事により置き場所を発見する事が出来る。事前準備として図２のリモコン親機と図３のリモコン受信機は１対１で対象物に対応する個別番号を設定し「学習キー」にてリモコン受信機に個別番号を記憶させる必要がある。
【産業上の利用可能性】
【００１１】前記［００１０］項では複数リモコン受信機の中から特定リモコン受信機検出を例に上げたが暗い自転車置き場で自分の自転車をＬＥＤ点滅で知らせるという１対１の通信が可能でありこの形態のリモコン親機は一個のボタンキーしか必要無いのでキーホルダーの様に小型化が図れる。【００１２】前記［００１０］、［００１１］項ではＬＥＤによる位置表示を説明したがリレーを搭載したリモコン受信機を各照明機器に設置する事によりリモコン親機から照明機器を個別、グループ毎に制御が出来る。【００１３】前記［００１２］項では照明機器の事例を挙げたが本リモコン受信機は独立した電源にて動作するので既存の玩具、電子機器に対してリモコン親機から制御出来るシステムを構築出来る。
【図面の簡単な説明】
【図１】本システム実施の形態によるリモコン装置構成図。
【図２】図１に示すリモコン親機の全体図。
【図３】図１に示すリモコン受信機の全体図。
【図４】図２で示すリモコン親機の内部構成ブロック図。
【図５】図３で示すリモコン受信機の内部構成ブロック図。
【図６】図２で示すリモコン親機フローチャート図。
【図７】図３で示すリモコン受信機フローチャート図。
【図１】
2009296562.tif 000003
【図２】
2009296562.tif 000004
【図３】
2009296562.tif 000005
【図４】
2009296562.tif 000006
【図５】
2009296562.tif 000007
【図６】
2009296562.tif 000008
【図７】
2009296562.tif 000009
(57)【要約】      （修正有）【課題】ガイド付の釣竿のいと通しやすさと、中通し式の釣竿の糸絡みの少ないという特徴を持ち得た釣竿を提供する。【解決手段】並継ぎ若しくは振り出し式の釣竿の手元部分１をガイド式にし、穂先に近い部分２だけを中通し式にする。【選択図】図１
2009296964.tif 000002
【特許請求の範囲】
【請求項１】
並継ぎ若しくは振り出し式の釣竿の手元部分をガイド式にし、穂先に近い部分だけを中通し式にした、ガイド式と中通し式を併用することにより、穂先に糸が絡まるトラブルを解消するとともに、糸を通しし易くした釣竿。
【発明の詳細な説明】
【技術分野】
【０００１】
この考案は、並継ぎ若しくは振り出し式の釣竿の穂先に近い部分だけを中通し式にした釣竿に関するものである。
【背景技術】
【０００２】
従来、ガイド式と中通し式の釣竿があった。
【発明の開示】
【発明が解決しようとする課題】
【０００３】
そのため次のような問題点があった。
（イ）ガイド式の釣竿は、糸を通しやすいが釣りの途中に穂先部分に糸が絡みやすくそれを直すのに手間がかかった。
（ロ）中通し式の釣竿は、ガイドワイヤーを竿に通すときに継手部分に引っかかって糸を通しにくく手間がかかる。また、糸が水に濡れたら糸すべりが悪くなる。
【課題を解決するための手段】
【０００４】
並継ぎ式若しくは振り出し式の釣竿の穂先に近い部分だけを中通し式にし、ガイド式と中通し式を併用する。以上を特徴とする釣竿である。
【発明の効果】
【０００５】
釣竿の手元部分をガイド式にし穂先に近い部分だけを中通し式にすることにより、ガイド式部分は従来どおり簡単に糸が通せ、中通し式を穂先部分だけにすることにより継手部分にガイドワイヤーが引っかかることなく簡単に糸が通せる。糸が濡れても穂先部分だけを中通し式にすることにより、摩擦抵抗も減少し糸が出易くなり、穂先に糸が絡みにくく快適に釣りができる。
【発明を実施するための最良の形態】
【０００６】
以下本発明の実施の形態について説明する。
（イ）ガイド式の釣竿部分（１）の部分を、ガイド式にする。（２）の部分を中通し式にする。
【図面の簡単な説明】
【０００７】
【図１】本考案の斜視図
【図２】本考案の先端部分の拡大図
【符号の説明】
【０００８】
１  釣竿の手元部分
２  釣竿の穂先に近い部分
【図１】
2009296964.tif 000003
【図２】
2009296964.tif 000004
(57)【要約】【課題】ハンバーガーはバンズと中身（パテやピクルス等）から構成され、中身（パテやピクルス等）を上下からバンズで挟む形態であるが、各層を縦に繋ぎ止める物がない。そのため、ハンバーガーを食べ進めると各層がズレを起こし、中身がはみ出しやすいなどの欠点がある。【解決手段】バンズと中身（パテやピクルス等）の横の層だけで構成されるハンバーガーの上から、１本（もしくは数本）で構成されたスティックを刺すことにより、ハンバーガーを食べる時に生じるバンズと中身（パテやピクルス等）のズレを極力抑える。【選択図】図１
2009296896.tif 000002
【特許請求の範囲】
【請求項１】
ハンバーガーの上から、１本（もしくは数本）で構成されたスティック刺すことにより、ハンバーガーを食べる時に生じるバンズと中身（パテやピクルス等）のズレを極力抑えることを特徴とするハンバーガー専用のスティック。
【発明の詳細な説明】
【技術分野】
【０００１】
この発明は、ハンバーガーを食べるときの改善に関する。
【背景技術】
【０００２】
ハンバーガーはバンズと中身（パテやピクルス等）から構成され、中身（パテやピクルス等）を上下からバンズで挟む形態であるが、各層を縦に繋ぎ止める物が無い。
【特許文献１】類似特許なし。
【発明の開示】
【発明が解決しようとする課題】
【０００３】
ハンバーガーには各層を縦に繋ぎ止める物が無いため、食べ進めると各層がズレを起こし、中身がはみ出しやすいなどの欠点がある。
そこで、この発明はハンバーガーを食べるときに生じる各層のズレを極力抑えることを課題とする。
【課題を解決するための手段】
【０００４】
以上の課題を解決するために、ハンバーガーの上から、１本（もしくは数本）で構成されたスティックを刺すことにより、ハンバーガーを食べる時に生じるバンズと中身（パテやピクルス等）のズレを極力抑えることを特徴とするハンバーガー専用のスティックである。
【発明の効果】
【０００５】
以上の発明によれば、各層がズレることなく最後までハンバーガーを食べ進めることができる。
【発明を実施するための最良の形態】
【０００６】
この発明の一実施形態を、図１に示す。
バーガースティックの本体はプラスチック製である。この本体の下端は口が怪我しないよう円形になっている。また、上端にはストッパーが付いており、また、目を含めた顔全体が怪我しないよう円形になっている。
【０００７】
「実施形態の効果」
この実施形態によれば、ハンバーガーの各層を縦に繋ぎ止めることができるため、ハンバーガーを食べ進めても各層のズレを最小限に抑えることができる。
【０００８】
「他の実施形態」
図１の実施形態では、素材はプラスチックとしたが、他の実施形態では、木製など他の素材でも良い。
図１の実施形態では、形状はスティックとしたが、他のデザインでも良い。
図１の実施形態では、直線上に１本から３本のスティックを配置した例を示したが、３本以上のスティックを△、□、○、×、☆型等の上に、あるいはキャラクターのアウトライン上等に自由に配置しても構わない。
図１の実施形態では、スティックの下端を円形としたが、ハンバーガーへの刺しやすさを考慮してもう少し鋭角にしてもよい。ただし、口を傷つけないような配慮が必要である。
図１の実施形態では、スティックの上端を円形としたが、違うデザインでも構わない。ただし、目を含めた顔全体が怪我しないような配慮が必要である。
図１の実施形態では、ストッパーを円形としたが、それ以外の形でもよい。また、立体的にしても構わない。
【図面の簡単な説明】
【０００９】
【図１】この発明の一実施形態を示す側面図である。
【符号の説明】
【００１０】
１  スティック上端（円形）        ２  ストッパー
３  スティック下端（円形）
【図１】
2009296896.tif 000003
(57)【要約】      （修正有）【課題】台風襲来で列島が荒れる。しかし、恵みの雨は頂きたい。ジレンマを学生時代から持っていた。【解決手段】台風、爆弾低気圧の目に潜入し、潜水艦で海水を噴水する。すると、海水の気化で体積１６００倍の空気になり、中心気圧が上がり空気の求心力が優しくなる。【選択図】図１
2009296887.tif 000002
【特許請求の範囲】
【請求項１】
１    台風２    冬期爆弾低気圧３    台風、爆弾低気圧の目に潜入「ＧＰＳで可能」４    潜水艦で海水を噴水する。「３０気圧」５．  海水の気化で体積１６００倍の空気になる６．  中心気圧が上がり空気の求心力が優しくなる７．  特許料は無し
【発明の詳細な説明】
【技術分野】
【０００１】
【背景技術】
【０００２】
【特許文献１】台風低気圧の中心の気圧を揚げ優しい台風、低気圧にする。
【発明の開示】
【発明が解決しようとする課題】台風で恵みの雨は頂きたい、寒の低気圧は山へ無限の雪を運ぶ．温暖化で台風、寒の低気圧が、グングン下がり列島が荒れる．  「中心部ヘクトパスカル」
【課題を解決するための手段】台風又、三陸沖爆弾低気圧の中心の目の中で潜水艦「専用の潜水艦」で一滴の水が気化の体積１６００倍に成る現象を活用して、一本の放水銃３０気圧で上空へ複数」放水少し気圧を揚げる  中心気圧を。
【発明を実施する為の最良の形態】
気象庁専用の潜水艦を作る一台で放水銃を沢山作ればよく。
【図１】
2009296887.tif 000003
【手続補正書】
【提出日】平成20年12月17日(2008.12.17)
【手続補正２】
【補正対象書類名】明細書
【補正対象項目名】全文
【補正方法】変更
【補正の内容】
【発明の詳細な説明】
【技術分野】
【０００１】
【背景技術】
【０００２】
【特許文献１】台風低気圧の中心の気圧を揚げ優しい台風、低気圧にする。
【発明の開示】
【発明が解決しようとする課題】台風で恵みの雨は頂きたい、冬の低気圧は山へ無限の雪を運ぶ、温暖化で台風、冬の低気圧が、グングン下がり列島が荒れる。
「中心部ヘストパスカル」
【課題を解決するための手段】台風又、三陸沖爆弾低気圧の中心の目の中で潜水艦「専用の潜水艦」で一滴の水が気化の体積１６００倍に成る現象を活用して、１本の放水銃３０気圧で上空へ「複数」放水少し気圧を揚げる、中心気圧を。
【発明を実施する為の最良の形態】
気象庁専用の潜水艦を作る、１台で放水銃を沢山作ればよく。
【図面の簡単な説明】
【０００３】
【図１】台風、爆弾低気圧の中心へ潜水艦で潜入、浮上して放水。
(57)【要約】【課題】  メキシコ湾のところに隕石が落ち、その衝撃波でパンゲアは分裂した。この事は何によって理解できるか。【解決手段】  前回、2009年8月11日に提出した、特願2009−18627８．の図面を基に考える。メキシコ湾を中心に分裂の線は引かれている。メキシコ湾に落下した隕石の衝撃波は北東方向に進み、更に、東に進み、パンゲアを分裂させた。そしてできたのが、アフリカ大陸とヨーロッパ大陸と北アメリカ大陸です。メキシコ湾に落下した隕石の衝撃波は、東に進み、更に、南に進み、パンゲアを分裂させた。そしてできたのが、アフリカ大陸と南アメリカ大陸です。【選択図】図1
2009296881.tif 000002
【特許請求の範囲】
【請求項１】
パンゲア大陸は、初め、図1、のように繋がっていた。
【請求項２】
パンゲア大陸はメキシコ湾に落下した隕石の衝撃波の力によって分裂し移動した。その証拠は、メキシコ湾を中心にパンゲアの分裂は行われているからです。
メキシコ湾の北東方面に衝撃波は走り、そこに亀裂が生じた。そしてできたのが、北アメリカ大陸です。
メキシコ湾の北東方面に走った衝撃波は、途中で方向転換し、東の方向に走った。これにより、亀裂は東の方向にでき、ヨーロッパ大陸とアフリカ大陸ができました。
メキシコ湾の東方面に衝撃波は走り、そこに亀裂が生じた。衝撃波は、途中で方向転換し、南に走りました。これにより、亀裂は逆L字型になり、南アメリカ大陸とアフリカ大陸ができました。
【請求項３】
スペインの南部はアフリカ大陸のリビア沿岸と繋がっていた。
【請求項４】
カリブ海に隕石は落石した。衝撃波は東に進み、地中海を作り、途中で南に進み、スエズ運河を作った。更に南に進み、アフリカ東部から東南アジアを分裂し、動物達を載せて、移動させた。
【発明の詳細な説明】
【技術分野】
【０００１】
この発明は、パンゲア(超大陸)はどのように分裂したかに関するものである。分裂する以前の状態はどのようであったかに関するものである。
【背景技術】
【０００２】
地球は1つのパンゲア大陸であった。
【０００３】
拡大する太洋低や移動する大陸は厚さ70〜200Kmのプレートであるとするプレートテクトニクスが提唱された。
【先行技術文献】
【非特許文献】
【０００４】
【特許文献１】特願2009−165179
【特許文献２】特願2009−168464
【特許文献３】特願2009−170811
【特許文献４】特開2002−291219
【特許文献４】特願2009−186278
【発明の概要】
【発明が解決しようとする課題】
【０００５】
１．パンゲア大陸が分裂したのはメキシコ湾のところに落下した隕石による衝撃波によってです。メキシコ湾に隕石が落下した時、パンゲア大陸はどのようであったか。分裂する以前のパンゲア大陸はどのようであったか。隕石の衝撃波はどのようにパンゲアを分裂したか。
【課題を解決するための手段】
【０００６】
パンゲア大陸が分裂したのは隕石の落下が原因であり、その隕石はメキシコ湾とカリブ海に落下したと考える。
パンゲアの分裂は、メキシコ湾を中心に行われている。
メキシコ湾に落下した隕石の衝撃波は、北東方面に走った。この事によって、パンゲアは北東に亀裂した。北アメリカ大陸の分離ができた。
この北東方面に走った衝撃波は、途中で東に方向転換した。この事によって、ヨーロッパの分離ができた。
メキシコ湾に落下した隕石の衝撃波は、東に走った。途中で方向転換し、南に走った。この事によって、パンゲアは、逆L字型に亀裂した。南アメリカとアフリカの分離ができた。
このように、パンゲアは、メキシコ湾に落下した隕石の衝撃波の進む方向に分裂した。
【発明の効果】
【０００７】
パンゲア大陸はメキシコ湾に落下した隕石の衝撃波の力によって分裂し移動した。その証拠は、メキシコ湾を中心にパンゲアの分裂は行われています。
メキシコ湾の北東方面に走った衝撃波により、亀裂が生じた。そしてできたのが、北アメリカ大陸です。
メキシコ湾の北東方面に走った衝撃波は、途中で方向転換し、東の方向に走った。これにより、亀裂は東の方向にでき、ヨーロッパ大陸とアフリカ大陸ができました。
メキシコ湾の東の方向に走った衝撃波により、亀裂が生じた。
メキシコ湾の東の方向に走った衝撃波は、途中で方向転換し、南の方向に走った。これにより、亀裂は逆L字型にでき、南アメリカ大陸とアフリカ大陸ができました。
【図面の簡単な説明】
【０００８】
【図１】パンゲア大陸を分裂させたのは、メキシコ湾に落下した隕石です。その証拠は、メキシコ湾を中心に分裂が生じているからです。メキシコ湾から出発した衝撃波は、北東に進み、パンゲアを分裂させ、北アメリカ大陸を作った。そして、途中で東の方向に進み、パンゲアを分裂させ、ヨーロッパ大陸を作った。メキシコ湾から出発した衝撃波は、東に進み、途中で南の方向に進み、南アメリカ大陸とアフリカ大陸を作った。
【発明を実施するための形態】
【０００９】
１．パンゲア大陸は、初め、図1、のように繋がっていた。
２．パンゲア大陸はメキシコ湾に落下した隕石の衝撃波の力によって分裂し移動した。その証拠は、メキシコ湾を中心にパンゲアの分裂は行われているからです。
メキシコ湾から出た衝撃波は北東方面に走り、パンゲアを分裂させた。そしてできたのが、北アフリカ大陸です。
北東方面に走った衝撃波は途中で方向転換し、東の方向に走った。これにより、分裂は東方向にでき、ヨーロッパ大陸とアフリカ大陸ができました。
メキシコ湾から出た衝撃波は東に走り、パンゲアを分裂させた。この東の方向に走った衝撃波は、途中で方向転換し、南の方向に走りました。これにより、分裂は逆L字型になり、南アメリカ大陸とアフリカ大陸ができました。
３．スペインの南部はアフリカ大陸のリビア沿岸と繋がっていた。
４．カリブ海に隕石は落石した。衝撃波は東に進み、地中海を作り、途中で南に方向転換し、スエズ運河を作った。更に南に進み、アフリカ東部から東南アジアを分裂した。東南アジアは動物達を載せて、移動した。
【産業上の利用可能性】
【００１０】
石油の存在する場所が推測できる。
東南アジアに、アフリカ大陸と同じ種類の動物が存在する理由が理解できる。
ヨーロッパ、アフリカ大陸、南アメリカ大陸、北アメリカ大陸、東南アジアがどのようにできたのか理解できる。
【符号の説明】
【００１１】
１  メキシコ湾
２  カリブ海  
３  北アメリカの一部
４  南アメリカ大陸
５  アフリカ大陸
６  グリーランド
７  スカンデイナヴィア半島
８  アイルランド島
９  グレートブリテン島
１０  アイスランド
１１  ヨーロッパ大陸の一部
１２  東南アジア
【図１】
2009296881.tif 000003